(57)【要約】【課題】本考案は、任意に取り付け、又は取り外せる多用途自動車スクリーンである。【解決手段】本考案は、一種の多用途自動車スクリーンを提供する。このスクリーン２０は、外部連接式駆動モジュール３０が有り、駆動モジュール３０とスクリーン２０の間に、取り外し式連接構造および電気的連接が有り、駆動モジュール３０を取り外し、または取り付けることによって、スクリーン２０に異なる用途を持たせることが可能であり、駆動モジュール３０を取り付けて、スクリーン２０に映像をデイスプレー出来るものである。【選択図】　図２
0003098189.tif 000002
【実用新案登録請求の範囲】
【請求項１】
ソケットによりシートブロックのスピゴット上に嵌挿することが出来、ソケットとスピゴットとの連接により、電気的に連結する目的を達成し、そして、外部連接式駆動モジュールが有り、駆動モジュールとスクリーンの間に、取り外し式連接構造および電気的連接が有り、駆動モジュールを取り外し、または取り付けることによって、スクリーンに異なる用途を持たせることが可能であり、駆動モジュールを取り付けて、スクリーンに映像を表示させることを特徴とする多用途自動車スクリーン。
【請求項２】
上記駆動モジュールとスクリーンとの間の取り外し式連接構造が、スクリーンに嵌め溝が有り、駆動モジュールに嵌めシートが有り、かつ嵌め溝と嵌めシートの間には電気的連接が有り、嵌めシートを嵌め溝に嵌め込めば、駆動モジュールをスクリーンに接続することが出来、駆動モジュールはスクリーンを駆動させて、映像を表示させる請求項１に記載の多用途自動車スクリーン。
【請求項３】
上記駆動モジュールがスクリーンのソケット内に嵌挿されている請求項１に記載の多用途自動車スクリーン。
【請求項４】
上記スクリーンが液晶スクリーンである請求項１に記載の多用途自動車スクリーン。
【請求項５】
上記駆動モジュールがデジタルカメラ・モジュールである請求項１に記載の多用途自動車スクリーン。
【請求項６】
上記駆動モジュールがデジタルビデオカメラモジュールである請求項１に記載の多用途自動車スクリーン。
【請求項７】
上記駆動モジュールがＭＰ３プレーヤー・モジュールである請求項１に記載の多用途自動車スクリーン。
【請求項８】
上記駆動モジュールが電池モジュールを含む請求項１に記載の多用途自動車スクリーン。
【請求項９】
上記駆動モジュールが、受信装置に信号を伝送するブルートゥース・モジュール、受信信号を処理する中央処理ユニット、入力キー、中央処理ユニットの処理後の音響を出力する出力設備および音声を入力し、かつ中央処理ユニットによって、電子ファイルか信号を処理するマイクロフォンを備え、これらを一体としてまとめた請求項１に記載の多用途自動車スクリーン。
【考案の詳細な説明】
【０００１】
【考案の属する技術分野】
本考案は、多用途自動車スクリーンを提供するもので、殊に自動車用スクリーン効能を拡充するものを指す、デジタルカメラ、デジタルビデオカメラ、ＭＰ３プレーヤー等機能を具えるものである。
【０００２】
【従来の技術】
従来、よく見られる自動車スクリーンは、図１に示した様なもので、スクリーン１０は、多くが液晶スクリーンである。スクリーン１０は、ソケット１１を有し、スピゴット１３の上に嵌挿することが出来る。ソケット１１とスピゴット１３の相互対応個所に中透かし部１１１と弾性止め鈎１３１が設けられて有り、スピゴット１３は、シートブロック１２の上に連接される。シートブロック１２は、一本のリベット１２１でボトムシート１４の上に鋲締めされる。ボトムシート１４は、主機本体１５とこの主機本体１５に外挿される外ケース１６の間に夾み合わされることが出来る。ソケット１１とスピゴット１３は電気的接続が有る。ソケット１１をスピゴット１３に嵌挿した後、スピゴット１３は外部より電源を導入することが出来る。そして、スクリーン１０に映像をデイスプレーさせる。このような自動車スクリーンは、スクリーン１０の体積が小さいので、容易に盗まれる。故に、スクリーン１０を取り外せるタイプに設計し、ドライバーが下車する際に、スクリーン１０を取り外して、手元に携帯し、上車の時に改めて取り付けたらよい。そして、スクリーン１０は、車上で使用する以外、ほかの機能が無く、実用性が狭い嫌いが有る。
【０００３】
【考案が解決しようとする課題】
本考案の目的は上述の問題点を解消するもので、自動車スクリーンが小型で携帯出来る特性を利用して、自動車スクリーンを駆動モジュール、または電池モジュールに接続してデジタルカメラ、デジタルビデオカメラ、ＭＰ３プレーヤー等機能を具備させたものである
【０００４】
【課題を解決するための手段】
前記課題を解決するため本考案は、多用途自動車スクリーンを、ソケットによりシートブロックのスピゴット上に嵌挿することが出来、ソケットとスピゴットとの連接により、電気的に連結する目的を達成し、そして、外部連接式駆動モジュールが有り、駆動モジュールとスクリーンの間に、取り外し式連接構造および電気的連接が有り、駆動モジュールを取り外し、または取り付けることによって、スクリーンに異なる用途を持たせることが可能であり、駆動モジュールを取り付けて、スクリーンに映像を表示させることにより、一種の折畳み出来る構造で取り外し式設計の周辺機器増設デジタルカード構造を設計して、従来周辺機器増設デジタルカード構造設計上の欠陥がもたらす不便を改善する設計が出来ることを成功した。
【０００５】
【考案の実施の形態】
本考案のほかの目的と詳細は、以下の説明で、より明確となり、同時に、付属各図を参照すれば、本考案の技術内容が、更に理解できる。
【０００６】
図２および図３は本考案の実施の形態を示すもので、スクリーン２０が取り外し出来る小型軽量、且つ携帯便利な特性を利用して、外部連接式駆動モジュール３０とスクリーン２０を組合わせて、図のように、スクリーン２０に嵌め溝２７を設置する。モジュール３０は、嵌めシート３１が有り、かつ嵌め溝２７と嵌めシート３１の間には電気的連接が有る（図中には表示していない）。電気的連接の方式は多種有り、例えば、導電性が有るスプリング・リーフ、コンタクト・ポイント等を設置することが出来る。この周知技術については詳細述べない。嵌めシート３１を嵌め溝２７に嵌め込んだ後、駆動モジュール３０をスクリーン２０に連接し、駆動モジュール３０によって、スクリーン２０を駆動して、映像をデイスプレーする。
【０００７】
駆動モジュール３０は、デジタルカメラ・モジュール、デジタルビデオカメラ・モジュール、またはＭＰ３プレーヤー・モジュールにすることが出来る。その内部に駆動回路３２および電池装置３３が設置されている。もし、駆動モジュール３０がデジタルカメラ・モジュールならば、デジタルカメラの駆動回路、調整制御スイッチ等装置を備えている。スクリーン２０を駆動モジュール３０に嵌挿した後、デジタルカメラとして使用することが出来る。駆動モジュール３０に電池装置が設置して有るので、電源に接続する必要が無く、随時携帯して、外出使用するのに適している。電池装置３３を充電式蓄電池とすることが出来、経済的、環境問題に対応する。このように、異なる駆動モジュール３０を取り付けた際、スクリーン２０に異なる用途を持たせることが出来る。そして、駆動モジュール３０を嵌挿した後、図１に示す従来例のように同時にスクリーン２０をシートブロック２２のスピゴット２３の上に嵌挿すれば、主機本体２５とデータ伝送することが出来る。
【０００８】
また、図４に示すように、スクリーン２０に、複数の駆動モジュール３０を設置することが出来、スクリーン２０の両側に駆動モジュール３０を設置することが出来る。勿論、スクリーン２０の底部、または適当個所にも設置することが出来る。そして、スクリーン２０と駆動モジュール３０の接続構造は、上述の嵌めシート３１と嵌め溝２７の接合方式に限らず、また止め鈎方式を採用することが出来る。
【０００９】
図５に本考案における回路ブロック説明図の一例を示す。その中で、駆動モジュール３０は、ブルートゥース・モジュール３４、中央処理ユニット３５、入力キー３６、出力設備３７、マイクロホン３８等を含んで、外部の受信装置７０に信号を伝送し、中央処理ユニット３５はスクリーン２０を駆動させて、映像をデイスプレーし、出力設備３７より音響を出力する。駆動モジュール３０は、ほかにデジタルカメラ・メモリーカード５０、またはストック・メモリーカード６０の挿入溝を備えている（図中には表示していない）。駆動モジュール３０を経由して、デジタルカメラ・メモリーカード５０、またはストック・メモリーカード６０のデータを処理する。そして、中央処理ユニット３５よりスクリーン２０を駆動して映像をデイスプレーし、出力設備３７より音響を出力する。また、マイクロフォン３８を経由して、音声を入力することが出来る。中央処理ユニット３５により処理した後、ストック・メモリーカード６０、または受信装置７０に伝送する。
【００１０】
本実施の形態は、図６に示すように、スクリーン２０は、ソケット２１が有り、スピゴット２３の上に嵌挿することが出来る。ソケット２１とスピゴット２３の相互対応個所に中透かし部２１１と弾性止め鈎２３１を設けて有り、スピゴット２３は、シートブロック２２の上に連接されている。シートブロック２２は、一本のリベット２２１でボトムシート２４の上に鋲締めされる。ボトムシート２４は、主機本体２５と外ケース２６の間に夾み合わされることが出来る。ソケット２１とスピゴット２３は電気的連接が有り、ソケット２１をスピゴット２３に嵌挿した後、弾性止め鈎２３１は、中透かし部２２１内に夾み合って、ソケット２１とスピゴット２３の離脱を避けることが出来る。同時、シートブロック２２は、駆動回路をスクリーン２０に導入して、スクリーン２０に映像を表示させることが出来る。ドライバーが下車する時に、スクリーン２０を取り外して、手元に携帯して、スクリーン２０が盗まれるのを免れる。
【００１１】
また、図７は更に異なる本考案の実施の形態を示すもので、駆動モジュール４０の外型と前記図１に示したシートブロック１２のスピゴット１３の外型を同様にしたものである。駆動モジュール４０の中透し部２１１に対応した所に、弾性止め鈎４１を設けて有り、駆動モジュール４０をスクリーン２０のソケット２１に嵌付け、弾性止め鈎４１を中透し部２１１に夾み合せたら、駆動モジュール４０が、ソケット２１より離脱するのを避けることが出来る。この設計方式は、設計空間が比較的に狭く、かつ設計難度が比較的に高くなる。そして、駆動モジュール４０を設置した後、再びシートブロック２２のスピゴット２３（図１参照）の上に嵌挿することが出来ない。しかし、それにはスクリーン２０の体積を増やさない利点が有る。
【００１２】
【考案の効果】
以上のように、本考案は、自動車用スクリーンに駆動モジュールを加える後、単なる自動車スクリーンに、多種の新用途を付与することが出来る。消費者は、ただ必要のモジュールを備えて、設置すればよい。しかし、以上に述べたのは、ただ本考案の比較的良い実施の形態で、本考案の請求範囲を制限することは出来ない。即ち、本考案の登録範囲に依って変化および修飾は、本考案の要義所在を失わず、また本考案の精神と範囲を離脱していない。故に、皆本考案の一歩進んだ実施状況と見なすべきである。
【図面の簡単な説明】
【図１】従来周知の自動車スクリーン構造の説明図である。
【図２】本考案の好ましい実施の形態について、駆動モジュールをスクリーンに嵌挿する動作説明図である。
【図３】図１に示した実施の形態について、駆動モジュールをスクリーンに嵌挿した説明図である。
【図４】本考案の駆動モジュールをスクリーンに嵌挿した別の実施の形態についての説明図である。
【図５】本考案の回路ブロックの一例についての説明図である。
【図６】図１に示した実施の形態についての使用状態を示す説明図である。
【図７】本考案の駆動モジュールの異なる実施の形態についての立体説明図である。
【符号の説明】
１０　スクリーン
１１　ソケット
１１１　中透かし部
１２　シートブロック
１２１　リベット
１３　スピゴット
１３１　弾性止め鈎
１４　ボトム．シート
１５　主機本体
１６　外ケース
２０　スクリーン
２１　ソケット
２１１　中透かし部
２２　シートブロック
２２１　リベット
２３　スピゴット
２３１　弾性止め鈎
２４　ボトムシート
２５　主機本体
２６　外ケース
２７　嵌め溝
３０　駆動モジュール
３１　嵌めシート
３２　駆動回路
３３　電池装置
３４　ブルートゥース・モジュール
３５　中央処理ユニット
３６　入力キー
３７　出力設備
３８　マイクロフォン
４０　駆動モジュール
４１　弾性止め鈎
５０　デジタルカメラ・メモリーカード
６０　ストック・メモリーカード
７０　受信装置
【図１】
0003098189.tif 000003
【図２】
0003098189.tif 000004
【図３】
0003098189.tif 000005
【図４】
0003098189.tif 000006
【図５】
0003098189.tif 000007
【図６】
0003098189.tif 000008
【図７】
0003098189.tif 000009